(57)【特許請求の範囲】
【請求項１】
高圧線から供給される電力を変圧する変圧器から低圧線を介して電力の供給を受ける需要家に設けられた複数の太陽光発電装置と、前記太陽光発電装置の夫々に付設され、前記太陽光発電装置の発電出力を計測する子局と、前記子局と通信可能に接続される親局と、を備えて構成される配電システムにおいて、前記太陽光発電装置の健全性を診断する方法であって、
前記太陽光発電装置のうち、日照条件が類似する一群の太陽光発電装置について、夫々に付設されている前記子局から、前記親局に対して夫々の発電出力の計測データを送信し、
前記親局が、
前記子局から受信した前記計測データに基づき、前記一群の太陽光発電装置の夫々について、所定期間について所定間隔ごとに発電出力を求め、夫々の前記発電出力を夫々の定格出力で除すことにより、夫々の前記発電出力の換算値を求め、
前記一群の太陽光発電装置の夫々について、前記所定期間について、日毎に前記発電出力換算値の最大値である日毎最大値を求め、
前記一群の太陽光発電装置の夫々について、前記所定期間おける、夫々の前記日毎最大値の平均値である最大値平均値を求め、
前記一群の太陽光発電装置の夫々について、前記所定期間における、前記日毎最大値と前記最大値平均値との差を求め、求めた前記差の二乗和を求め、求めた前記二乗和の平方根としてユークリッド距離を求め、
前記一群の太陽光発電装置の夫々について、前記ユークリッド距離が予め設定された第１閾値を超えているか否かを判定する、第１判定を行い、
前記一群の太陽光発電装置のうち、前記第１閾値を超えている前記太陽光発電装置について、前記所定期間における、前記日毎最大値と前記最大値平均値の差のばらつきである分散が第２閾値を超えているか否かを判定する、第２判定を行い、
前記分散が前記第２閾値を超えている場合は、その太陽光発電装置に異常が生じている可能性があると判定する
太陽光発電装置の健全性を診断する方法。
【請求項２】
請求項１に記載の太陽光発電装置の健全性を診断する方法であって、
前記第１判定において、前記第１閾値を超えていると判定された前記太陽光発電装置について、その前記日毎最大値と前記最大値平均値とを比較し、前記日毎最大値が前記最大値平均値よりも大きい側に振れている場合は、前記太陽光発電装置の発電出力の計測系に異常が生じていると判定する
太陽光発電装置の健全性を診断する方法。
【請求項３】
請求項１又は２に記載の太陽光発電装置の健全性を診断する方法であって、
前記親局は、前記太陽光発電装置の管理者の端末と通信可能に接続され、前記太陽光発電装置に異常が生じている可能性があると診断すると、その旨を示す情報を前記端末に送信する
太陽光発電装置の健全性を診断する方法。
【請求項４】
請求項１乃至３のいずれか一項に記載の方法に使用する前記親局として機能する情報処理装置であって、
前記子局から受信した前記計測データに基づき、前記一群の太陽光発電装置の夫々について、所定期間について所定間隔ごとに発電出力を求め、夫々の前記発電出力を夫々の定格出力で除すことにより、夫々の前記発電出力の換算値を求める手段と、
前記一群の太陽光発電装置の夫々について、前記所定期間について、日毎に前記発電出力換算値の最大値である日毎最大値を求める手段と、
前記一群の太陽光発電装置の夫々について、前記所定期間おける、夫々の前記日毎最大値の平均値である最大値平均値を求める手段と、
前記一群の太陽光発電装置の夫々について、前記所定期間における、前記日毎最大値と前記最大値平均値との差を求め、求めた前記差の二乗和を求め、求めた前記二乗和の平方根としてユークリッド距離を求める手段と、
前記一群の太陽光発電装置の夫々について、前記ユークリッド距離が予め設定された第１閾値を超えているか否かを判定する、第１判定を行う手段と、
前記一群の太陽光発電装置のうち、前記第１閾値を超えている前記太陽光発電装置について、前記所定期間における、前記日毎最大値と前記最大値平均値の差のばらつきである分散が第２閾値を超えているか否かを判定する、第２判定を行う手段と、
前記分散が前記第２閾値を超えている場合は、その太陽光発電装置に異常が生じている可能性があると判定する手段と
を備える情報処理装置。 
【発明の詳細な説明】
【技術分野】
【０００１】
この発明は、太陽光発電装置の健全性を診断する方法及びこれに用いる情報処理装置に関する。
【背景技術】
【０００２】
再生可能エネルギーの全量買取制度（固定価格買取制度）が施行され、太陽光発電装置の導入が急速に進展している。全量買取制度においては、太陽光発電装置が所期の性能を発揮し続けることを前提として買取価格が決められている。このため、需要家等が太陽光発電装置の導入メリットを享受するには、太陽光発電装置が長期間（例えば１０年以上）に亘って安定して発電し続けることが必要である。
【０００３】
太陽光発電装置の異常を検出するシステムとして、例えば、特許文献１には、日射量を考慮して太陽光発電装置をグループ分けし、日射量が同一と見なされる地域内に設置された複数の太陽光発電装置の発電に関するデータを収集して比較することにより、異常のある太陽光発電装置を検出することが記載されている。
【０００４】
また特許文献２には、診断単位の発電量を計測する電力量検出器、日射量を計測する日射計を備えた太陽電池発電システムが、計測した発電量、日射量に基づき、算出された診断単位の理論発電量の比率を算出し、算出された比率を用いて診断単位の異常診断を行うことが記載されている。
【先行技術文献】
【特許文献】
【０００５】
【特許文献１】特開２０１１−１４７３４０号公報
【特許文献２】特開２０１１−２１６８１１号公報
【発明の概要】
【発明が解決しようとする課題】
【０００６】
ところで、太陽光発電装置は、日射量によって発電出力が大きく影響されるため、例えば、太陽光パネルに程度の小さな損傷や劣化等の異常が生じていてもこれを発見することは難しく、異常がそのまま放置されて所期の性能が発揮されないままに長期間運用され続けてしまうことが少なくない。そのため、初期投資の回収期間が長期化し、或いは初期投資を十分に回収できないといったケースも生じうる。
【０００７】
ここで太陽光発電装置に生じている損傷や劣化等の異常を早期に発見するための方策として、装置メーカや保守会社などの業者と保守契約を結んで遠隔監視等により定期的に点検を実施することが有効である。しかし保守サービスを受けることができない場合もあり、また保守サービスを受けられたとしても、保守サービスに要するコストによって初期投資の回収期間が長期化してしまうことになる。
【０００８】
本発明はこのような背景に鑑みてなされたもので、太陽光発電装置の健全性を効率よく正確に診断することが可能な、太陽光発電装置の健全性を診断する方法及び情報処理装置を提供することを目的とする。
【課題を解決するための手段】
【０００９】
上記目的を達成するための本発明の一つは、高圧線から供給される電力を変圧する変圧器から低圧線を介して電力の供給を受ける需要家に設けられた複数の太陽光発電装置と、前記太陽光発電装置の夫々に付設され、前記太陽光発電装置の発電出力を計測する子局と、前記子局と通信可能に接続される親局と、を備えて構成される配電システムにおいて、前記太陽光発電装置の健全性を診断する方法であって、前記太陽光発電装置のうち、日照条件が類似する一群の太陽光発電装置について、夫々に付設されている前記子局から、前記親局に対して夫々の発電出力の計測データを送信し、前記親局が、前記子局から受信した前記計測データに基づき、前記一群の太陽光発電装置の夫々について、所定期間について所定間隔ごとに発電出力を求め、夫々の前記発電出力を夫々の定格出力で除すことにより、夫々の前記発電出力の換算値を求め、前記一群の太陽光発電装置の夫々について、前記所定期間について、日毎に前記発電出力換算値の最大値である日毎最大値を求め、前記一群の太陽光発電装置の夫々について、前記所定期間おける、夫々の前記日毎最大値の平均値である最大値平均値を求め、前記一群の太陽光発電装置の夫々について、前記所定期間における、前記日毎最大値と前記最大値平均値との差を求め、求めた前記差の二乗和を求め、求めた前記二乗和の平方根としてユークリッド距離を求め、前記一群の太陽光発電装置の夫々について、前記ユークリッド距離が予め設定された第１閾値を超えているか否かを判定する、第１判定を行い、前記一群の太陽光発電装置のうち、前記第１閾値を超えている前記太陽光発電装置について、前記所定期間における、前記日毎最大値と前記最大値平均値の差のばらつきである分散が第２閾値を超えているか否かを判定する、第２判定を行い、前記分散が前記第２閾値を超えている場合は、その太陽光発電装置に異常が生じている可能性があると判定することとする。
【００１０】
本発明によれば、日照条件が類似する一群の太陽光発電装置について、ユークリッド距離が予め設定された第１閾値を超えているか否かを判定し、第１閾値を超えている太陽光発電装置について、所定期間における、日毎最大値と最大値平均値の差のばらつきである分散が第２閾値を超えているか否かを判定することにより太陽光発電装置の健全性を診断するので、一群の太陽光発電装置間で相互に発電出力の実績値を利用し合い、太陽光発電装置の健全性を効率よく診断することができる。
【００１１】
上記目的を達成するための本発明の一つは、上記方法であって、前記第１判定において、前記第１閾値を超えていると判定された前記太陽光発電装置について、その前記日毎最大値と前記最大値平均値とを比較し、前記日毎最大値が前記最大値平均値よりも大きい側に振れている場合は、前記太陽光発電装置の発電出力の計測系に異常が生じていると判定することとする。
【００１２】
本発明によれば、太陽光発電装置の発電出力の計測系（例えば、子局の計測装置）に異常が生じているか否かを診断することができる。このため、太陽光発電装置の健全性についての誤診を防ぐことができる。また第１閾値を超えていると判定された段階で計測系の異常を診断するので、早期に効率よく計測系の異常を検知することができる。
【００１３】
上記目的を達成するための本発明の一つは、上記方法であって、前記親局は、前記太陽光発電装置の管理者の端末と通信可能に接続されており、前記太陽光発電装置に異常が生じている可能性があると診断すると、その旨を示す情報を前記端末に送信することとする。
【００１４】
本発明によれば、太陽光発電装置に異常が生じている可能性がある旨を管理者等に自動的に迅速に通知することができる。
【００１５】
その他、本願が開示する課題、及びその解決方法は、発明を実施するための形態の欄、及び図面により明らかにされる。
【発明の効果】
【００１６】
本発明によれば、太陽光発電装置の健全性を効率よく正確に診断することができる。
【図面の簡単な説明】
【００１７】
【図１】配電システム１の概略的な構成を示す図である。
【図２】子局１０の主なハードウエアを示す図である。
【図３】子局１０が備える主な機能を示す図である。
【図４】親局２０の主なハードウエアを示す図である。
【図５】親局２０が備える主な機能を示す図である。
【図６】計測データ６００のデータフォーマットである。
【図７】健全性診断処理Ｓ７００を説明するフローチャートである。
【図８Ａ】データベース２１０に格納されている計測データ６００の一例である。
【図８Ｂ】発電出力の算出例を示す図である。
【図８Ｃ】発電出力換算値の算出例を示す図である。
【図８Ｄ】日毎最大値の算出例を示す図である。
【図８Ｅ】最大値平均値の算出例を示す図である。
【図８Ｆ】所定期間における最大値平均値の算出例を示す図である。
【図８Ｇ】所定期間における日毎最大値と最大値平均値の差、及びユークリッド距離の算出例を示す図である。
【図８Ｈ】子局ＩＤが「０００２２」の子局１０が付設されている太陽光発電装置の所定期間における日毎最大値及び最大値平均値を示す図である。
【発明を実施するための形態】
【００１８】
図１に本発明の一実施形態として説明する配電システム１の概略的な構成を示している。配電システム１は、電力会社等によって運用される電力系統の変電所２から高圧（例えば６６００Ｖ）の電力を地域に供給する高圧線３（高圧配電線）、高圧線３の随所に設けられ、高圧線３から供給される電力を変圧（例えば、２００Ｖ、１００Ｖに降圧）する変圧器７（Ｔｒ１，Ｔｒ２，・・・）（柱上変圧器、地上変圧器等）、変圧器７の配下（低圧側）に接続している需要家に電力を供給する低圧線４（低圧配電線）、低圧線４に接続する一つ以上の負荷６（Ｌ１，Ｌ２，・・・）、低圧線４に接続する一つ以上の発電設備５（ＰＶ１，ＰＶ２，・・・）、発電設備５及び負荷６の夫々に付設される複数の子局１０、配電システム１の要所に設けられる一つ以上の親局２０、及び子局１０と親局２０との間の通信を中継する一つ以上の中継局３０を含む。
【００１９】
同図に示すように、子局１０及び親局２０は、中継局３０及び通信ネットワーク５０を介して互いに通信可能に接続されている。通信ネットワーク５０は、有線方式もしくは無線方式の通信手段であって、例えば、ＬＡＮ、ＷＡＮ、インターネット、電力線通信（PLC（Power Line Communication））の通信網、専用線（電力系統制御用情報伝送システム（CDT：Cyclic Digital data Transmission equipment）、メタル線、光ファイバ等）などである。中継局３０は、例えば、ルータや回線交換機などである。
【００２０】
発電設備５は、例えば、太陽光発電装置、風力発電装置、水力発電装置、バイオマス発電装置、地熱発電装置、波力発電装置、コージェネレーション発電装置（例えば、ディーゼル発電機、ガスタービン発電機、ガスエンジン発電機等）などである。尚、本実施形態では、一つの変圧器７の低圧側に発電設備５として少なくとも一つ以上の太陽光発電装置が設けられているものとする。
【００２１】
負荷６は、例えば、一般負荷（家電製品、電気機器）、蓄電負荷（発電設備５の発電電力を蓄える蓄電池、電気自動車等の車両に用いられる蓄電池等）、蓄熱負荷（家庭用給湯器、業務用蓄熱式空調等）などである。
【００２２】
子局１０及び親局２０は、いずれも情報処理装置（コンピュータ）をベースとして構成されている。子局１０は、発電設備５や負荷６の状態に関する情報を取得するセンサ、及びセンサによって取得された情報を含むデータ（以下、計測データと称する。）を親局２０に送信する機能を備える。また親局２０は、子局１０から送られてくる計測データに基づき、配電システム１に発電設備５として設けられている太陽光発電装置の健全性を診断する機能を備える。
【００２３】
図２に子局１０が備える主なハードウエアを示している。子局１０は情報処理装置（コンピュータ）をベースとして構成されている。同図に示すように、子局１０は、中央処理装置１１、記憶装置１２、計時装置１３、計測装置１４、通信装置１５、及び制御装置１６を備える。このうち中央処理装置１１は、ＣＰＵ、ＭＰＵ等を用いて構成されている。記憶装置１２は、半導体記憶装置、磁気記録装置、光学式記録装置等である。計時装置１３は、ＲＴＣ（Real Time Clock）等の素子を用いて構成されている。
【００２４】
計測装置１４は、発電設備５や負荷６の状態を把握するための情報（発電設備５の発電出力や負荷６の消費電力に関する物理量（電流、電圧））を計測するセンサ（電流センサ、電圧センサ等）を含む。通信装置１５は、通信ネットワーク５０の通信方式（ＬＡＮ、電力線通信（ＰＬＣ）、インターネット、専用線、公衆通信網等）に対応した通信モジュールを備えて構成されており、他の装置との間で通信を行う。制御装置１６は、自発的にもしくは親局２０の指令に応じて受動的に、発電設備５や負荷６の動作を制御する。制御装置１６による発電設備５や負荷６の制御は、例えば、電力系統における需給バランスの調整を目的として行われる。尚、子局１０は、必ずしも制御装置１６を備えていなくてもよい。また子局１０は、例えば、特開２０１１−１９３６４４号公報に開示されている計測装置や計測指令装置として機能するものであってもよい。
【００２５】
図３に子局１０が備える主な機能を示している。同図に示すように、子局１０は、発電出力計測部１０１（発電設備５に付設されている子局１０のみ）、計測データ送信部１０２、及び発電設備／負荷制御部１０３の各機能を備える。これらの機能は、子局１０のハードウエアによって、もしくは、子局１０の中央処理装置１１が、記憶装置１２に格納されているプログラムを読み出して実行することにより実現される。
【００２６】
上記機能のうち、発電出力計測部１０１は、発電設備５の出力電圧（Ｖ）並びに出力電流（Ａ）を計測する。計測データ送信部１０２は、発電出力計測部１０１によって計測された計測値（出力電圧（Ｖ）及び出力電流（Ａ）（例えば、所定時間内における出力電圧（Ｖ）の平均値及び所定時間内における出力電流（Ａ）の平均値）を含んだ計測データを生成し、これを通信ネットワーク５０を介して親局２０に送信する。発電設備／負荷制御部１０３は、例えば、電力系統内の需給バランスの調整を目的として、発電設備５の発電出力や負荷６の消費電力を制御する。
【００２７】
図４に親局２０が備える主なハードウエアを示している。親局２０は情報処理装置をベースとして構成されている。同図に示すように、親局２０は、中央処理装置２１、記憶装置２２、計時装置２３、及び通信装置２４を備える。このうち中央処理装置２１は、ＣＰＵ、ＭＰＵ等を用いて構成されている。記憶装置２２は、半導体記憶装置、磁気記録装置、光学式記録装置等である。計時装置２３は、ＲＴＣ等の計時素子を用いて構成されている。通信装置２４は、通信ネットワーク５０の通信方式（ＬＡＮ、電力線通信（ＰＬＣ）、インターネット、専用線、公衆通信網等）に対応した通信モジュールを備えて構成されており、他の装置（後述する診断結果の通知先を含む。）との間で通信を行う。
【００２８】
尚、親局２０は、例えば、特開２０１１−１９３６４４号公報に開示されている通信装置として機能するものであってもよい。また親局２０は、通信可能に接続された複数の情報処理装置によって実現されるものであってもよい。親局２０は、例えば、電力系統を運用する電力会社の中央制御所などに設けられる。また親局２０は、例えば、変圧器７ごとや複数の変圧器７ごとに設けられる。
【００２９】
図５に親局２０が備える主な機能を示している。同図に示すように、親局２０は、計測データ受信部２００、計測データ選出部２０１、発電出力換算処理部２０２、日毎最大値取得部２０３、最大値平均値算出部２０４、ユークリッド距離算出部２０５、第１判定処理部２０６、第２判定処理部２０７、診断結果通知部２０８、計測系診断処理部２０９、及びデータベース２１０の各機能を備える。尚、これらの機能は、親局２０のハードウエアによって、もしくは、親局２０の中央処理装置１０１が、記憶装置１０２に格納されているプログラムを読み出して実行することにより実現される。
【００３０】
計測データ受信部２００は、子局１０から送られてくる計測データを受信し、その内容をデータベース２１０に格納する。
【００３１】
計測データ選出部２０１は、データベース２１０から、日照条件が類似する太陽光発電装置（以下、一群の太陽光発電装置とも称する。）の計測データを取得する。尚、日照条件が類似するか否かは、例えば、太陽光発電装置が設けられている場所、過去の太陽光発電装置の出力実績の類似度、過去の気象データから取得される日照量の類似度などによって判定する。
【００３２】
発電出力換算処理部２０２は、計測データ選出部２０１によってデータベース２１０から取得された、一群の太陽光発電装置の夫々の計測データに基づき、所定期間における、所定時間間隔ごとの発電出力を求め、求めた各太陽光発電装置の発電出力を夫々の定格出力で除した値（以下、発電出力換算値とも称する。）を求める。このように、発電出力を定格出力で除した発電出力換算値を用いることで、定格出力が異なる太陽光発電装置間においても、夫々の発電出力（太陽光発電装置の動作状態）を正しく比較することができる。尚、所定時間間隔ごとの発電出力は、例えば、所定時間内の発電出力の平均値とする。また各太陽光発電装置の定格出力は、例えば、予め記憶装置２２に格納しておくようにする。
【００３３】
日毎最大値取得部２０３は、上記一群の太陽光発電装置の夫々について、上記所定期間について、日毎（日別）に上記発電出力換算値の最大値（以下、日毎最大値とも称する。）を求める。
【００３４】
最大値平均値算出部２０４は、上記一群の太陽光発電装置の夫々について、上記所定期間における上記日毎最大値の平均値（以下、最大値平均値とも称する。）を求める。
【００３５】
ユークリッド距離算出部２０５は、上記一群の太陽光発電装置の夫々について、上記所定期間について、日毎に、夫々の上記日毎最大値と上記最大値平均値の差を求め、求めた差の二乗和を求め、その平方根としてユークリッド距離を求める。
【００３６】
第１判定処理部２０６は、上記一群の太陽光発電装置の夫々について、夫々のユークリッド距離が予め設定された第１閾値を超えているか否かを判定する（以下、この判定のことを第１判定とも称する。）。
【００３７】
第２判定処理部２０７は、第１判定によってユークリッド距離が第１閾値を超えていると判定された太陽光発電装置について、上記所定期間における、上記日毎最大値と上記最大値平均値の差のばらつきである分散を求め、求めた分散が第２閾値を超えているか否かを判定する（以下、この判定のことを第２判定とも称する。）。
【００３８】
診断結果通知部２０８は、第２判定によって上記分散が第２閾値を超えていると判定された場合、その太陽光発電装置に何らかの異常（故障、損傷、劣化等）が生じている可能性がある旨を、当該太陽光発電装置の管理者（所有者を含む）等の端末（例えば、情報処理装置、携帯機器、携帯電話機、パーソナルコンピュータ、ファクシミリ装置等）に通知（例えば、電子メッセージ、電子メール、ファクシミリ等を送信）する。
【００３９】
計測系診断処理部２０９は、第１判定においてユークリッド距離が第１閾値を超えていると判定された太陽光発電装置について、その太陽光発電装置の計測値の取得に関与した計測系（子局１０の計測装置１４、子局１０の通信装置１５、通信ネットワーク５０等）が正常に動作しているか否かを診断する。具体的には、ユークリッド距離が第１閾値を超えていると判定された太陽光発電装置について、上記日毎最大値と上記最大値平均値とを比較し、日毎最大値が最大値平均値よりも小さい方に振れている場合は太陽光発電装置に異常が生じていると判定し、日毎最大値が最大値平均値よりも大きい方に振れている場合は計測系に異常が生じていると判定する。
【００４０】
計測系に異常が生じていると判定した場合、診断結果通知部２０８は、例えば、計測系に異常が生じている旨を、当該太陽光発電装置の管理者、子局１０又は親局２０の管理者等の端末に通知（例えば、電子メッセージ、電子メール、ファクシミリ等を送信）する。
【００４１】
データベース２１０には、子局１０から受信した計測データが格納される。尚、データベース２１０には、他の親局２０や中継装置３０から取得した種類の異なる計測データが混在していてもよい。
【００４２】
図６に計測データ６００のデータフォーマットを示している。同図に示すように、計測データ６００には、子局ＩＤ６１１、設備種別６１２、エリアコード６１３、連絡先６１４、定格容量６１５、計測値６１６、計測日時６１７の各情報が含まれている。
【００４３】
このうち子局ＩＤには、当該計測データ６００を送信した子局１０の識別子（以下、子局ＩＤとも称する。）が設定される。設備種別６１２には、当該計測データ６００を送信した子局１０が付設されている設備の種別（発電設備５もしくは負荷６）を示す情報が設定される。
【００４４】
エリアコード６１３には、当該計測データ６００を送信した子局１０が存在する地域（その子局１０が付設されている太陽光発電装置が設けられている地域）を示す情報（以下、エリアコードとも称する。）が設定される。尚、本実施形態では、日照条件が類似する太陽光発電装置に付設されている子局１０から受信した計測データ６００には、同じエリアコードが付与されているものとする。
【００４５】
連絡先６１４には、当該計測データ６００を送信した子局１０が付設されている発電設備５もしくは負荷６に関する情報の通知先（例えば、電子メールアドレス、電話番号、携帯電話機の電話番号、ファクシミリ番号等）が設定される。
【００４６】
定格容量６１５には、当該計測データ６００を送信した子局１０が付設されている発電設備５の定格容量（発電出力の定格値）が設定される。
【００４７】
計測値６１６には、子局１０の計測装置１４によって計測された計測値（出力電圧（Ｖ）、出力電流（Ａ））が設定される。計測日時６１７には、計測値６１６に設定されている計測値を計測した日時が設定される。
【００４８】
続いて、太陽光発電装置の健全性の診断に際して親局２０が行う処理（以下、健全性診断処理Ｓ７００と称する。）について説明する。
【００４９】
図７は健全性診断処理Ｓ７００を説明するフローチャートである。同図に示すように、親局２０は、太陽光発電装置の健全性を診断するタイミングが到来すると（Ｓ７１１：ＹＥＳ）、まずデータベース２１０から、日照条件が類似する太陽光発電装置（以下、一群の太陽光発電装置と称する。）の計測データ６００を取得する（Ｓ７１２）。例えば、親局２０は、同じエリアコードが付与されている太陽光発電装置の計測データ６００を上記一群の太陽光発電装置の計測データ６００としてデータベース２１０から取得する。上記タイミングは、例えば、電力会社や太陽光発電装置の管理者等によって予め設定された時刻（定期的等）に到来する。
【００５０】
図８Ａにデータベース２１０に格納されている計測データ６００の一例を示す。親局２０は、例えば、エリアコードに「Ａ」が設定されている計測データ６００を上記一群の太陽光発電装置の計測データ６００として取得する。
【００５１】
続いて親局２０は、データベース２１０から取得した一群の太陽光発電装置の計測データ６００に基づき、所定期間（例えば一週間）における、所定時間間隔（例えば１０分）ごとの発電出力を求め、求めた各太陽光発電装置の発電出力を夫々の定格出力で除すことにより、発電出力換算値を求める（Ｓ７１３）。図８Ｂに発電出力の算出例を、図８Ｃに発電出力換算値の算出例を、夫々示す。
【００５２】
続いて親局２０は、上記一群の太陽光発電装置の夫々について、上記所定期間について、日毎（日別）に上記発電出力換算値の最大値（日毎最大値）を求める（Ｓ７１４）。例えば図８Ｃの場合は図８Ｄにおいて斜体字で示す部分が日毎最大値である。尚、この例では２０１３年２月１０日分の日毎最大値のみを示しているが、実際には所定期間の各日について日毎最大値を求める。
【００５３】
続いて親局２０は、上記一群の太陽光発電装置の夫々について、上記所定期間における上記日毎最大値の平均値（最大値平均値）を求める（Ｓ７１５）。図８Ｅに、日毎最大値が図８Ｄである場合における最大値平均値の算出例を示す。尚、この例では２０１３年２月１０日分の最大値平均値のみを示しているが、実際には所定期間の各日について最大値平均値を求める。
【００５４】
続いて親局２０は、上記一群の太陽光発電装置の夫々について、上記所定期間について、日毎に、夫々の上記日毎最大値と上記最大値平均値の差を求め、求めた差の二乗和を求め、求めた二乗和の平方根としてユークリッド距離として求める（Ｓ７１６）。図８Ｆに上記所定期間における最大値平均値の算出例を、図８Ｇに上記差及び上記ユークリッド距離の算出例を示す。尚、説明の簡単のため、この例では各日の数値を同じ値としてある。
【００５５】
続いて親局２０は、上記一群の太陽光発電装置の夫々について、夫々のユークリッド距離が予め設定された第１閾値を超えているか否かを判定（第１判定）する（Ｓ７１７）。例えば、第１閾値を「２６０」とした場合、図８Ｇでは子局ＩＤが「０００２２」の子局１０が付設されている太陽光発電装置（ユークリッド距離＝５１６）が第１閾値を超えていると判定される。
【００５６】
続いて親局２０は、第１判定によってユークリッド距離が第１閾値を超えていると判定された太陽光発電装置について、上記所定期間における、上記日毎最大値と上記最大値平均値の差のばらつきである分散を求め、求めた分散が第２閾値を超えているか否かを判定（第２判定）する（Ｓ７１８）。
【００５７】
図８Ｈに子局ＩＤが「０００２２」の子局１０が付設されている太陽光発電装置の日毎最大値及び最大値平均値を示す。この例では、分散は次式により算出される。
分散＝（（５７１−７６６）＾２＋（５７１−７６６）＾２＋（５７１−７６６）＾２＋（５７１−７６６）＾２＋（５７１−７６６）＾２＋（５７１−７６６）＾２＋（５７１−７６６）＾２）÷７＝３８０２５
【００５８】
そして親局２０は、第２判定によって上記分散が第２閾値を超えていると判定すると、その太陽光発電装置に異常が生じている旨を管理者等の端末に通知する（Ｓ７１９）。ここで第２閾値が例えば「２２５００」である場合、上で求めた分散（＝３８０２５）は、第２閾値を超えているので、親局２０は、当該太陽光発電装置に異常が生じている旨を管理者等の端末に通知する（例えば、子局ＩＤが「０００２２」の連絡先である「アドレスｄ」宛に電子メールを送信する。）。
【００５９】
尚、親局２０は、Ｓ７１８の判定において、ユークリッド距離が第１閾値を超えていると判定された太陽光発電装置について、その太陽光発電装置の計測値の取得に関与した計測系が正常に動作しているか否かを診断する（Ｓ７３０）。具体的には、第１閾値を超えていると判定された太陽光発電装置について、上記日毎最大値と上記最大値平均値とを比較し、日毎最大値が最大値平均値よりも小さい方に振れている場合は太陽光発電装置に異常が生じていると判定し、日毎最大値が最大値平均値よりも大きい方に振れている場合は計測系に異常が生じていると判定する。計測系に異常が生じていると判定した場合、診断結果通知部２０８は、例えば、計測系に異常が生じている旨を管理者等の端末に通知する。図８Ｈの例では、日毎最大値（＝５７１）が最大値平均値（＝７６６）よりも小さい方に振れているので、太陽光発電装置に異常が生じていると判定される。
【００６０】
以上に説明したように、本実施形態においては、日照条件が類似する一群の太陽光発電装置について、ユークリッド距離が予め設定された第１閾値を超えているか否かを判定し、第１閾値を超えている太陽光発電装置について、所定期間における、日毎最大値と最大値平均値の差のばらつきである分散が第２閾値を超えているか否かを判定することにより太陽光発電装置の健全性を診断するので、一群の太陽光発電装置間で相互に発電出力の実績値を利用して効率よく太陽光発電装置の健全性を診断することができる。
【００６１】
また第１閾値による判定及び第２閾値による判定の２段階の判定によって太陽光発電装置の健全性を診断するので、太陽光発電装置の健全性を正確に診断することができる。
【００６２】
また夫々の発電出力を定格出力で除して求まる換算値を用いて一群の太陽光発電装置間の相互の発電出力を比較するので、一群の太陽光発電装置に定格出力が異なる太陽光発電装置が混在する場合でも、正確に太陽光発電装置の健全性を診断することができる。このため、日照条件が類似する太陽光発電装置群を構成しやすく、また日照条件の類似度が高い狭いエリアにおいても一群の太陽光発電装置を構成し易くなるので、太陽光発電装置の多様な設置環境に柔軟に対応して健全性を診断することができる。
【００６３】
また子局１０及び親局２０として、例えば、需給バランスの調整等に用いられる既設の子局１０並びに親局２０の機能を利用して太陽光発電装置の健全性を診断することができるので、容易かつ低コストで太陽光発電装置の健全性を正確に診断する仕組みを実現することができる。
【００６４】
また太陽光発電装置の発電出力の計測系（例えば、子局１０の計測装置１４）に異常が生じているか否かを診断することができる。このため、太陽光発電装置の健全性についての誤診を防ぐことができる。また第１閾値を超えていると判定された段階で計測系の異常を診断するので、早期に効率よく計測系の異常を検知することができる。
【００６５】
また親局２０は、太陽光発電装置や計測系に異常が生じている可能性があると診断すると、その旨を示す情報を管理者の端末に送信するので、太陽光発電装置や計測系に異常が生じている可能性がある旨を管理者等に自動的かつ迅速に通知することができ、管理者等は迅速に適切な対応をとることができる。
【００６６】
以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。例えば、親局２０の機能の全部又は一部を子局１０が担う構成であってもよい。
【符号の説明】
【００６７】
１  配電システム、２  変電所、３  高圧線、４  低圧線、５  発電設備、６  負荷、７  変圧器、１０  子局、２０  親局、３０  中継局、５０  通信ネットワーク、２００  計測データ受信部、２０１  計測データ選出部、２０２  発電出力換算処理部、２０３  日毎最大値取得部、２０４  最大値平均値算出部、２０５  ユークリッド距離算出部、２０６  第１判定処理部、２０７  第２判定処理部、２０８  診断結果通知部、２０９  計測系診断処理部、２１０  データベース、６００  計測データ、Ｓ７００  健全性診断処理
【要約】
【課題】太陽光発電装置の健全性を効率よく正確に診断する。
【解決手段】親局２０は、日照条件が類似する一群の太陽光発電装置について、太陽光発電装置の夫々に付設された子局１０によって計測された発電出力に基づくユークリッド距離が予め設定された第１閾値を超えているか否かを判定（第１判定）し、第１閾値を超えている太陽光発電装置について、所定期間における、日毎最大値と最大値平均値の差のばらつきである分散が第２閾値を超えているか否かを判定（第２判定）して太陽光発電装置の健全性を診断する。親局２０は、第１判定において第１閾値を超えていると判定された太陽光発電装置について、その日毎最大値と最大値平均値とを比較し、日毎最大値が最大値平均値よりも大きい側に振れている場合は、太陽光発電装置の発電出力の計測系に異常が生じていると判定する。
【選択図】図５【図１】
0005461722.tif 000002
【図２】
0005461722.tif 000003
【図３】
0005461722.tif 000004
【図４】
0005461722.tif 000005
【図５】
0005461722.tif 000006
【図６】
0005461722.tif 000007
【図７】
0005461722.tif 000008
【図８Ａ】
0005461722.tif 000009
【図８Ｂ】
0005461722.tif 000010
【図８Ｃ】
0005461722.tif 000011
【図８Ｄ】
0005461722.tif 000012
【図８Ｅ】
0005461722.tif 000013
【図８Ｆ】
0005461722.tif 000014
【図８Ｇ】
0005461722.tif 000015
【図８Ｈ】
0005461722.tif 000016